(57)【要約】「逆オークション」のために事前に資格が与えられた薬局を備えるレジストリに対して未調合処方が提出される。この逆オークションでは、薬局が処方を調合するための機会を得るために入札する。薬局は、価格および／または提供する付属サービスに基づいて入札することが許される。特定の医薬認識サービスの供給に入札するためにオークションが使用されてもよい。また、本方法は、ジェネリック医薬品代用品または類似の他の医薬品とのコスト比較を得ることを含んでいてもよい。更に、本システムは、類似の代用品のリストに関する処方者による検討または第三者支払人のための事前承諾を自動的に要求することを含んでいてもよい。逆オークションの勝者は顧客によって選択される。
2009528640.tif 000002
【特許請求の範囲】
【請求項１】
処方製品またはサービスの送達を容易にするための方法であって、
未調合処方情報および患者情報を、顧客から参加している入札サービスプロバイダへ提供する工程であって、処方が処方者によって顧客へ提供されているステップと、
未調合処方情報を、入札サービスプロバイダから、事前に資格が与えられた処方フルフィルメントプロバイダのレジストリへ送るステップと、
事前に資格が与えられた処方フルフィルメントプロバイダが未調合処方を調合するために双方向の反復入札で応答するコンピュータシステム上での逆オークションを行なうステップと、
処方を調合するための少なくとも１つの入札を行なう各応答処方フルフィルメントプロバイダの最低入札の詳細を顧客に提供するステップと、
顧客によって勝ち入札を選択するステップと、
顧客に予約を提供するステップであって、予約は、処方された製品またはサービス以外の品目のための少なくとも１つのクーポンを含むステップと
を含む、前記方法。
【請求項２】
処方製品またはサービスの送達を容易にするための方法であって、
未調合処方情報および患者情報を、顧客から参加している入札サービスプロバイダへ提供するステップであって、処方が処方者によって提供されているステップと、
未調合処方情報を、入札サービスプロバイダから、事前に資格が与えられた処方フルフィルメントプロバイダのレジストリへ送るステップと、
事前に資格が与えられた処方フルフィルメントプロバイダが未調合処方を調合するために双方向の反復入札で応答するコンピュータシステム上での逆オークションを行なうステップと、
処方を調合するための少なくとも１つの入札を行なう各応答処方フルフィルメントプロバイダの最低入札の詳細を顧客に提供するステップと、
顧客によって勝ち入札を選択するステップと
を含み、
薬局が、処方された製品を中央事前調合場所から提供する、
前記方法。
【請求項３】
処方製品またはサービスの送達を容易にするための方法であって、
未調合処方情報および患者情報を、顧客から参加している入札サービスプロバイダへ提供するステップであって、処方が処方者によって提供されているステップと、
未調合処方情報を、入札サービスプロバイダから、事前に資格が与えられた処方フルフィルメントプロバイダのレジストリへ送るステップと、
事前に資格が与えられた処方フルフィルメントプロバイダが未調合処方を調合するために双方向の反復入札で応答するコンピュータシステム上での逆オークションを行なうステップと、
処方を調合するための少なくとも１つの入札を行なう各応答処方フルフィルメントプロバイダの最低入札の詳細を顧客に提供するステップと、
顧客によって勝ち入札を選択するステップと
を含み、
処方が、勝ち入札を有するフルフィルメントプロバイダに対して電子的に送られる、
前記方法。
【請求項４】
処方製品またはサービスの送達を容易にするための方法であって、
未調合処方情報および患者情報を、顧客から参加している入札サービスプロバイダへ提供するステップであって、処方が処方者によって提供されているステップと、
未調合処方情報を、入札サービスプロバイダから、事前に資格が与えられた処方フルフィルメントプロバイダのレジストリへ送るステップと、
事前に資格が与えられた処方フルフィルメントプロバイダが未調合処方を調合するために双方向の反復入札で応答するコンピュータシステム上での逆オークションを行なうステップと、
処方を調合するための少なくとも１つの入札を行なう各応答処方フルフィルメントプロバイダの最低入札の詳細を顧客に提供するステップと、
顧客によって勝ち入札を選択するステップと
を含み、
勝ち入札を有するフルフィルメントプロバイダは、入札サービスプロバイダにアクセスするためにインターネットを使用せず、予約および取引情報がデータ交換システムを介して入札サービスプロバイダと勝ち入札を有するフルフィルメントプロバイダとの間で送られる、
前記方法。
【請求項５】
処方製品またはサービスの送達を容易にするための方法であって、
未調合処方情報および患者情報を、顧客から参加している入札サービスプロバイダへ提供するステップであって、処方が処方者によって顧客へ提供されているステップと、
類似製品価格比較を電子的に行なって、処方された薬に潜在的に類似する製品のリストを特定するとともに、そのような特定された類似製品に関する相対コストを伴わせるステップと、
類似製品価格比較の結果を顧客に提供するステップと、
処方者の同意を得て、顧客によって類似製品価格比較から製品を選択するステップと、
顧客によって設定される基準に基づいて、フルフィルメントプロバイダのリストを顧客に提供するステップと、
処方を調合するために顧客によってフルフィルメントプロバイダを選択するステップと、
未調合処方情報を、入札サービスプロバイダから、選択されたフルフィルメントプロバイダへ送るステップと、
顧客に予約を提供するステップであって、予約は、処方された製品またはサービス以外の品目のための少なくとも１つのクーポンを含むステップと
を含む、前記方法。
【請求項６】
処方製品またはサービスの送達を容易にするための方法であって、
未調合処方情報および患者情報を、顧客から参加している入札サービスプロバイダへ提供するステップであって、処方が処方者によって顧客へ提供されているステップと、
類似製品価格比較を電子的に行なって、処方された薬に潜在的に類似する製品のリストを特定するとともに、そのような特定された類似製品に関する相対コストを伴わせるステップと、
類似製品価格比較の結果を顧客に提供するステップと、
処方者の同意を得て、顧客によって類似製品価格比較から製品を選択するステップと、
顧客によって設定される基準に基づいて、フルフィルメントプロバイダのリストを顧客に提供するステップと、
処方を調合するために顧客によってフルフィルメントプロバイダを選択するステップと、
未調合処方情報を、入札サービスプロバイダから、選択されたフルフィルメントプロバイダへ送るステップと、
顧客に予約を提供するステップであって、予約は、処方された製品またはサービス以外の品目のための少なくとも１つのクーポンを含むステップと
を含み、
薬局が、処方された製品を中央事前調合場所から提供する、
方法。
【発明の詳細な説明】
【技術分野】
【０００１】
（発明の分野）
本発明は、処方を通じて得られる品目および／またはサービスを普及させ、市場に出し、分配し、価格設定し、販売し、および／または、その送達を容易にするための方法に関する。具体的には、本発明は、処方製品、サービス、および／または、処置のコストを減少させるとともに、任意の競合入札サービスプロバイダ選択プロセスを使用することによって顧客に対して提供されるサービスの量および質を高めるための方法に関する。
【背景技術】
【０００２】
（発明の背景）
処方薬費用は、顧客に直面する最も急成長しているヘルスケアコストのうちの１つであり続けている。処方薬費用の増大を促した要因としては、病気予防薬および生活の質を高める薬の患者による使用の増大、医薬品会社による患者への直接的なマーケティング、更に新しい方向に向けた用法変化、更にコストが高い薬、製造業者による、ならびに医薬品の経済性評価の議論および選択において、処方者および顧客の情報と参加が欠如していることによる価格の増大が挙げられる。処方薬コストに伴う特定の問題は、処方薬の保険適用を欠く多くの患者がしばしば保険適用を有する患者よりも多くの処方代金を支払うことである。これは通常、購買力および情報が限られた患者からより大きな収益マージンを収集して、事前に交渉された価格スケジュールを伴う処方プランを有する保険に入っている患者から入手できる利益の減少を補償しようとする薬局による「コストシフティング」に起因している。その結果、個人として市場影響力をほとんど有さない、あるいは全く有さない保険に入っていない患者は、市場の他の支払者（例えば、第三者支払人、保険会社、政府等）よりも高い価格を処方のために支払う。
【０００３】
処方薬の保険適用を欠く個人を支援するため、割引ドラッグカードプログラムが組織体によって提供されてきた。この場合、プログラムへの加入者は、参加している薬局から金銭的な割引を受ける。しかしながら、割引ドラッグカードプログラムは、患者が薬物療法を受けるときに処方価格の１００％を支払うことを必要とするため、また、薬剤師は第三者を介して利益または割引を決定することが要求されなくてもよいため、患者は正しい割引価格を受ける保証がなく、また、割引ドラッグカードプログラムの条項に従って提供するために参加している薬局が当初契約した患者擁護を受ける保証がない。
【０００４】
一方、第三者支払いプログラムは、薬剤コストを制御するための多くのツールを使用してきた。すなわち、これらのプログラムは、処置選択肢を減少させ、薬局サービスをカットし、医薬品製造メーカから道理に反する見返りを受け、自己負担金（co-pays）を増大させてコストを減少させおよび／または一部の薬物治療へのアクセスを減少させ、プロバイダへのアクセスを制限した。
【０００５】
多くの患者は、必要とされる薬剤を購入することができない。これは、必要とされる薬剤が非常に高価であるか、または必要とされる薬剤が患者の健康保険制度によって制限されているからである。そのような患者は、「完全に治療されていない（undertreated）」と見なされる。完全に治療されていない患者は、治療が失敗する傾向があり、しばしば保険医療制度に対する更に高い費用で入院しなければならないとともに、高い疾病率および死亡率を高い頻度で被る。
【０００６】
現在のシステムは、処方者、分配者、コンサルタント、ＰＢＭ、ＨＭＯ、保険会社等の様々な誘因により、薬物治療のコストを顧客へとシフトするための道理に反する方法で一杯である。これらの道理に反する誘因は、患者の薬物治療のコストを増大させ、あるいは患者が所望の製品および／または薬局サービスを受けることを妨げるように作用し、それにより、顧客を犠牲にして先に挙げた関係者の収益的動機が満たされる。顧客が処方薬およびサービスを得ることができるようにするとともに、薬価格割引を顧客に対して常に提供して、ヘルスケアの全体のコストを低く抑えつつ所望の薬局サービスの利用可能性を高めるツールが必要である。
【発明の開示】
【０００７】
（発明の要旨）
本発明は、顧客が処方薬およびサービスを得ることができるようにするツールであり、処方薬剤のコストを低減し、かつ所望の薬局サービスへの顧客のアクセスを高めるためのツールをこれらの顧客に提供するとともに、割引カード、ＰＢＭ、ＨＭＯ、医療保険計画、政府計画等を使用する欠点を克服する。
【０００８】
１つの実施形態において、本発明は、処方製品またはサービスの送達を容易にするための方法であって、未調合処方情報および患者情報を、顧客から参加している入札サービスプロバイダへ提供するステップであって、処方が処方者によって顧客へ与提供されているステップと、未調合処方情報を、入札サービスプロバイダから、事前に資格が与えられた処方フルフィルメントプロバイダのレジストリへ送るステップと、事前に資格が与えられた処方フルフィルメントプロバイダが未調合処方を調合するために双方向の反復入札で応答するコンピュータシステム上での逆オークションを行なうステップと、少なくとも１つの入札を行なって処方を調合した各応答処方フルフィルメントプロバイダの最低入札の詳細を顧客に提供するステップと、顧客によって勝ち入札を選択するステップと、顧客に予約を提供するステップであって、予約は処方された製品またはサービス以外の品目のための少なくとも１つのクーポンを備えるステップとを備える方法である。
【０００９】
他の実施形態において、本発明は、処方製品またはサービスの送達を容易にするための方法であって、未調合処方情報および患者情報を、顧客から参加している入札サービスプロバイダへ提供するステップであって、処方が処方者によって提供されているステップと、未調合処方情報を、入札サービスプロバイダから、事前に資格が与えられた処方フルフィルメントプロバイダのレジストリへ送るステップと、事前に資格が与えられた処方フルフィルメントプロバイダが未調合処方を調合するために双方向の反復入札で応答するコンピュータシステム上での逆オークションを行なうステップと、少なくとも１つの入札を行なって処方を調合した各応答処方フルフィルメントプロバイダの最低入札の詳細を顧客に提供するステップと、顧客によって勝ち入札を選択するステップとを備え、薬局が、処方された製品を中央事前調合場所（central prefill location）から提供する方法である。
【００１０】
更なる実施形態において、本発明は、処方製品またはサービスの配達を容易にするための方法であって、未調合処方情報および患者情報を、顧客から参加している入札サービスプロバイダへ提供するステップであって、処方が処方者によって提供されているステップと、未調合処方情報を、入札サービスプロバイダから、事前に資格が与えられた処方フルフィルメントプロバイダのレジストリへ送るステップと、事前に資格が与えられた処方フルフィルメントプロバイダが未調合処方を調合するために双方向の反復入札で応答するコンピュータシステム上での逆オークションを行なうステップと、少なくとも１つの入札を行なって処方を調合した各応答処方フルフィルメントプロバイダの最低入札の詳細を顧客に提供するステップと、顧客によって勝ち入札を選択するステップとを備え、処方が勝ち入札を有するフルフィルメントプロバイダに対して電子的に送られる方法である。
【００１１】
本発明の別の実施形態は、処方製品またはサービスの送達を容易にするための方法であって、未調合処方情報および患者情報を、顧客から参加している入札サービスプロバイダへ提供するステップであって、処方が処方者によって提供されているステップと、未調合処方情報を、入札サービスプロバイダから、事前に資格が与えられた処方フルフィルメントプロバイダのレジストリへ送るステップと、事前に資格が与えられた処方フルフィルメントプロバイダが未調合処方を調合するために双方向の反復入札で応答するコンピュータシステム上での逆オークションを行なうステップと、少なくとも１つの入札を行なって処方を調合した各応答処方フルフィルメントプロバイダの最低入札の詳細を顧客に提供するステップと、顧客によって勝ち入札を選択するステップとを含み、勝ち入札を有するフルフィルメントプロバイダは、入札サービスプロバイダにアクセスするためにインターネットを使用せず、予約および取引情報がデータ交換システムを介して入札サービスプロバイダと勝ち入札を有するフルフィルメントプロバイダとの間で送られる方法である。
【００１２】
本発明の更なる実施形態は、処方製品またはサービスの送達を容易にするための方法であって、未調合処方情報および患者情報を、顧客から参加している入札サービスプロバイダへ提供するステップであって、処方が処方者によって顧客へ提供されているステップと、類似製品価格比較を電子的に行なって、処方された薬に潜在的に類似する製品のリストを特定するとともに、そのような特定された類似製品に関する相対コストを伴わせるステップと、類似製品価格比較の結果を顧客に提供するステップと、処方者の同意を得て、顧客によって類似製品価格比較から製品を選択するステップと、顧客によって設定される基準に基づいて、フルフィルメントプロバイダのリストを顧客に提供するステップと、処方を調合するために顧客によってフルフィルメントプロバイダを選択するステップと、未調合処方情報を、入札サービスプロバイダから、選択されたフルフィルメントプロバイダへ送るステップと、顧客に予約を提供するステップであって、予約は処方された製品またはサービス以外の品目のための少なくとも１つのクーポンを備えるステップとを備える方法である。
【００１３】
本発明の更に別の実施形態は、処方製品またはサービスの送達を容易にするための方法であって、未調合処方情報および患者情報を、顧客から参加している入札サービスプロバイダへ提供するステップであって、処方が処方者によって顧客へ提供されているステップと、類似製品価格比較を電子的に行なって、処方された薬に潜在的に類似する製品のリストを特定するとともに、そのような特定された類似製品に関する相対コストを伴わせるステップと、類似製品価格比較の結果を顧客に提供するステップと、処方者の同意を得て、顧客によって類似製品価格比較から製品を選択するステップと、顧客によって設定される基準に基づいて、フルフィルメントプロバイダのリストを顧客に提供するステップと、処方を調合するために顧客によってフルフィルメントプロバイダを選択するステップと、未調合処方情報を、入札サービスプロバイダから、選択されたフルフィルメントプロバイダへ送るステップと、顧客に予約を提供するステップであって、予約は、処方された製品またはサービス以外の品目のための少なくとも１つのクーポンを含むステップとを含み、薬局が、処方された製品を中央事前調合場所から提供する方法である。
【００１４】
本発明の更なる特徴は、添付図面を参照して以下の明細書を読むことにより、本発明が関連する当業者に明らかとなる。
【発明を実施するための最良の形態】
【００１５】
（好ましい実施形態の説明）
本明細書で使用される用語「処方」とは、ヘルスケア設定において、例えば医薬、医療装置、任意の他のヘルスケア関連サービス、または他の処置の調製および／または投与に関して認可された人による注文において送達される任意の製品またはサービスをいう。処方を与えるための認可は、典型的に、政府または専門職協会によって制御される。認可される人としては、非限定的な例として、医師、検眼医／視力検定医、歯医者、外科医、獣医等を挙げることができる。他の処置としては、特に、外科手術、理学療法、精神療法、矯正レンズ、カイロプラクティック処置、および／または、診断テストを挙げることができる。処方は、適切な事前に資格が与えられた処方プロバイダ（すなわち、製品またはサービスの分配者、例えば、薬局、医師、光学ショップ、歯医者、外科医、病院等）によって調合（fill）される。明確性のため、以下の説明は、処方が医薬品用であり、かつ事前に資格が与えられた処方プロバイダが薬局である実施形態に焦点を合わせる。当業者であれば分かるように、本明細書に記載される本発明は、処方および／または事前に資格が与えられた処方プロバイダの他の実施形態の特異性によって保証されるように変更されてもよい。
【００１６】
顧客は、医用または健康関連の物品またはサービスを購入する人である。消費者は、医用または健康関連の物品またはサービスを使用し、あるいは消費する存在である。患者は治療（medical attention）、ケア、または処置を受ける存在である。顧客は、必ずしも消費者または患者であるとは限らず、逆もまた同様である（例えば、年少の子供のための薬剤を購入する親；ペットのための医療処置を得る所有者）。支払者は、医用または健康関連の物品またはサービスの代金を支払う存在である。支払者は、顧客または第三者、例えば福利厚生制度（benefit plan）または保険契約であってもよい。単なる例示目的のため、以下の説明は、顧客が患者／顧客でもあるケースに焦点を合わせる。従って、これらの用語は、本明細書中では交換可能に使用される。
【００１７】
本発明によれば、顧客、例えば薬剤のための処方をもつ患者が、処方および患者情報を、参加している入札サービスプロバイダ／管理者（本明細書では、「ＢｉｄＲｘSM」とも呼ばれる）に対して提供する方法が開示される。処方は、書面によるものであってもよく、電子的なものでもよく、ファックスで送ったもの、口頭によるもの、あるいは電話によるものであってもよい。処方は、物理的な形態（例えば、書面によるもの）の場合、患者または患者の代理人と共に残る。入札サービスプロバイダは、未調合処方情報（患者識別情報を除く）を、規定のサービス地域および／または選択された、もしくは規定されたレジストリ内でおよび／またはメールオーダーを介して入札プロセスに参加してその特定の顧客の未調合処方を調合するために入札サービスプロバイダによって既に資格が与えられた薬局のレジストリに対して供給する。顧客からの処方情報は、電子的に、例えばイントラネットまたはインターネットの手段によって送られることが好ましいが、他の伝送手段、例えばファックス、書面等も可能である。
【００１８】
また、第三者支払人は、福利厚生計画機構（benefit plan feature）に関する情報、例えば、最高支払金、リベート、利益要件の調整、メンバーシップリスト等をロードする。
【００１９】
入札への招待に応答する登録薬局（すなわち、レジストリ内、サービス地域内で、要求される製品およびサービスなどを提供する）（本明細書では、「応答薬局」と呼ばれる）はそれぞれ、入札サービスプロバイダと繰り返し相互に作用し、「逆オークション」において更に低い価格および／または更なる付属的サービスをもってレジストリ内の競合薬局よりも更にうまく患者／顧客に合うものを提供しようとする。即座にかつ連続的に、顧客には、顧客が入札を選択するまで、あるいは事前に選択された入札期間が終了する（このとき、顧客は自分達の好ましい入札を選択することができ、あるいは全ての入札を断ることができる）まで、応答薬局の入札に関する情報が与えられる。
【００２０】
顧客は、固有の基準、例えば、好ましい薬局（薬局に関連する全ての情報が入札において、ならびに随意的な薬局ウェブサイトリンク内に含まれる）、コスト、提供される付属サービス、応答薬局と顧客との近さ等に基づいて、応答薬局から選択する。選択された薬局は、その後入札サービスプロバイダを介して、顧客の選択について知らされる。顧客および成功した応答薬局には、その後予約番号（顧客にはキーコードまたはキー番号も与えられる）および入札の仕様および処方取引の期間に対応する患者の適切な情報が与えられ、顧客は薬局が調合するための処方を与えるプロセスを始めることができ、また薬局は、患者と接触してコンプライアンスを高めることができる。
【００２１】
本発明の第１の代替的なあるいは付加的な実施形態は、入札サービスプロバイダが典型的には手数料を徴収して類似製品価格比較（ＳＰＰＣ）のリストを提供し、かつ類似しているが相対的に低いコストを有し得る可能な代替薬のリストを提供するオプショナルモジュールを含む。また、入札サービスプロバイダは、処方者の適切な検討のため、必要に応じて、事前承諾、患者やりとり、ディスカッション、およびアクションのため、ＳＰＰＣリストを顧客の処方医へ送ることを顧客によって認可されてもよい。入札サービスプロバイダによって請求される費用は、均一料金であってもよく、あるいはその費用は、処方の代金を誰が支払おうともその人に与えられる預金（saving）のパーセンテージである。費用は、リストを処方者に対して送るために請求されてもよい。
【００２２】
第２の代替的なあるいは付加的な実施形態は、医薬品製造メーカが入札プロセスに直接的に、あるいは間接的に参加してもよいオプショナルモジュールを含む。また、医薬品製造メーカは、製造メーカによって提供される製品における市場占有率のプラス変化を生み出すことを願って、また新制度（innovation）の拡散を許容しつつ顧客に対する薬剤のコストを更に下げるために、患者に対して購買意欲を与え得る（すなわち、顧客向けの宣伝またはクーポンの新たな形態）。コスト、資金、およびクーポンの全てが電子的に扱われることが好ましい。また、本システムは、購入時および製品選択時に製品情報のための消費者向け（ＤＴＣ）の宣伝および／またはウェブリンクを与える。
【００２３】
本発明の第３の代替的なあるいは付加的な実施形態は、全ての処方およびサービスにおけるサービスプラン、自己負担金、および控除免責金額に関して第三者が直接に設定するための複数のツールを入札サービスプロバイダが有していてもよいオプショナルモジュールを含む。例えば、入札サービスプロバイダツールは、基本的なプランの設定、または基本的に手数料を徴収して提供される付加的な利益または制限を有する更に包括的なパッケージを与えてもよい。付加的な利益としては、ＢｉｄＲｘSMユーザの薬剤のプロファイル調査、そのような潜在的な問題を不十分薬剤または過剰薬剤（under- or over-medication）としてチェックすること、および想定し得る薬物間相互作用のチェックを挙げることができる。加入者には、付属サービスプラン、および割引きおよび更なる利益のために蓄積されてもよい処方における購買誘因「ポイント」が与えられてもよい。本システムは、場合により、顧客フィードバックおよび専門薬局加盟店フィードバックを可能にしてもよい。
【００２４】
図１Ａ〜Ｆは、競合処方薬プロバイダ選択のための好ましい実施形態の方法のフローチャートである。図１に示される方法は、前記オプショナルモジュールの全ても示している。
【００２５】
ステップ６において、顧客、例えば処方を受ける患者は、入札サービスプロバイダ（本明細書では、「ＢｉｄＲｘSM」ともいわれる）に登録する。入札要求が、電子ネットワーク、例えばイントラネットまたはインターネットを介して、参加する入札サービスプロバイダに対して送信されてもよい。あるいは、注文が、従来の手段、例えば対面（in-person）によって、電話によって、メールオーダーまたはファクシミリによってなされてもよい。ステップ６において、顧客は、以下の識別情報および通信情報、例えば（１）顧客名、（２）顧客言語選好、（３）顧客住所、および（４）顧客電子メールアドレスを与えることによってサービスを申請する。
【００２６】
ステップ６の後、顧客は、医薬処方およびサービス入札要求を開始してもよい。ステップ８において、顧客は、「あなたの処方費用の全てまたは一部を支払うドラッグカードを持っていますか。」と尋ねられる。「ノー」の場合には続行し、「イエス」の場合には、顧客が第三者／保険モジュールへと方向付けられる（図１Ｄ）。
【００２７】
ステップ１０において、顧客は、１）医薬処方およびサービス入札要求を選択するか、あるいは２）薬物療法管理サービス（ＭＴＭＳ）／医薬認識サービスのみ入札要求を選択するかどうかを選ぶ。顧客が１）を選択する場合には、プロセスが図１Ｂで続く。顧客が２）を選択する場合には、プロセスが図１Ｇで続く。
【００２８】
ステップ６〜１０は、登録情報から自動的にダウンロードしてもよい。
【００２９】
図１Ｂを参照すると、ステップ１２において、顧客は、入札要求に関する情報を彼／彼女のプロフィールに加えてもよいし、および／または前記情報を入札サービスプロバイダに対して与えてもよい。前記情報としては、患者名、患者言語選好、患者住所、患者電子メール（アドレスは、登録から既にそこにあってもよい）を挙げることができるが、これらに限定されない。また、顧客または代理人または代弁者（advocate）は、処方情報、例えば、処方名、薬の強さ、薬の形態（すなわち、錠剤、カプセル、ゲルカップ等）、処方量、１日当たりに服用する量、潜在的な使用に対する説明、望まれる任意の補助的な薬局サービス、および入札期限（通常は、時間の単位で）を加える。ステップ１２は、入札サービスプロバイダにより、顧客固有情報の少なくとも一部、例えば名前、好み、および住所等を物理ファイルまたは電子データベースに記憶し、その後、別の処方が顧客により与えられるときに情報を呼び出すことによって、更に効率的にされてもよい。さらに、薬（名前、強さ等）および／または医薬サービスに関する情報は、誤りを減らすため、ドロップダウンメニューから顧客によって、あるいは同様のプロセスによって選択されることが好ましい。
【００３０】
類似製品価格比較（ＳＰＰＣ）のために別個の費用が請求される場合、顧客は、ステップ５６において、顧客が製品およびサービスのための自分達の入札を提出する前にＳＰＰＣを欲しているかどうかを尋ねられる。ＳＰＰＣが無料の場合には、ＳＰＰＣが自動的に作成されてもよい。チクラーメッセージ（tickler message）５７を使用して、潜在的な節約の大きさを顧客に知らせることができる。ＳＰＰＣプロセス５８において、入札サービスプロバイダは、顧客が入札のために列挙した薬物製品に匹敵する同様の効能の薬のリストを与える。多くの場合、ＳＰＰＣリストは、潜在的に低コストの類似製品の入手可能性を示してもよい。ステップ６０におけるリストのいくつかの例が表１に示されている。
【表１】
2009528640.tif 000003
【００３１】
表１は、第三者クーポンおよび顧客クーポンのためのカラムを有する。クーポンは、第三者支払人および／または顧客に対する処方費用を減少させる薬の製造メーカ／サプライヤ（本明細書では、「ＰｈＲＭＡ」とも呼ばれる）からの割引である。顧客クーポンは、顧客が支払わなければならない金額を減らすことにより顧客が製造メーカの製品を選択する気を起こさせるものとしての機能を果たす。同様に、第三者クーポンは、顧客代理人／代弁者に製造メーカの製品を選択する（第三者に対するコストに関連して自己負担額およびＰＡ要件に関して例の薬Ａ〜Ｄを比較する）ように促すため、自己負担額を減らすことによりおよび／または事前承諾（ＰＡ）を不要にすることにより、その後に預金の一部を顧客に対して譲渡してもよい第三者支払人に対するコストを減らす。典型的に、顧客に対するコストは、ゼロ（例の薬Ｅ）未満になることが許されない。また、ＰｈＲＭＡは、顧客が薬に関するより多くの情報を得ることができるようにウェブリンクを与えることができる。更に、ＰｈＲＭＡは、ＳＰＰＣリストに対してリンクされる顧客向け広告を有することができる。他の消費者リンクが利用可能にされてもよい。
【００３２】
これらのクーポンの他の変形も本発明の範囲内に含まれる。例えば、ＰｈＲＭＡ実体は、全製品コストを支払うサンプルクーポンを与えてもよい。そのようなサンプルクーポンにより、処方者は、薬自体を販売する必要なく、試用サンプルを消費者に与えることができる。別の例は、ジェネリック医薬品の製造メーカがそれらの製品の使用を促進できるようにすることを意図したスポンサー付きの薬局クーポンである。典型的に、入札サービスプロバイダは、１またはそれ以上のジェネリック医薬品をＳＰＰＣのための単一のカテゴリへひとまとめにする。製造メーカは、それら自体の製品が販売され、それによって、販売促進された製品を販売するように薬局およびプロバイダに促す場合に限り支払われるクーポンを与えることができる。１つの実施形態において、クーポン価格は、薬局／プロバイダにより、その実体が販売促進された製品を販売しない場合に支払われる。更なる別のタイプのクーポンはＳＰＰＣ料金クーポンである。ＳＰＰＣ料金クーポンにより、ＰｈＲＭＡまたは他の実体は、競合製品情報を消費者に対して与えることができる。特定された製品が代替としてＳＰＰＣレポートに列挙される場合、ＰｈＲＭＡまたは実体は、それらの競合製品を消費者に示すためにＳＰＰＣレポートの代金を支払う。頻繁に、リンクが与えられることにより、消費者は、競合製品情報を見ることができ、それにより、ＰｈＲＭＡ実体がコストそのものではなく、製品属性で張り合う機会が与えられる。
【００３３】
クーポンの入手可能性を様々な方法で制限し、あるいは絞ることができる。例えば、ＰｈＲＭＡサプライヤは、当初から入札製品が競争業者によって供給される場合に適用されるが当初から入札製品が製造メーカ自体の製品である場合、または製品が既に最も低いコストである場合に適用されないクーポンを有することができる。さらに、クーポンは、支払者のタイプ（個人的支払者のみ、第三者メンバーのみ等）に制限することができ、または州、地域、郵便番号、薬局チェーンストア、ドクターグループ等によって制限することができる。
【００３４】
１つの実施形態において、予約は、他の消費者向けクーポンを含むことができる。好ましくは、これらのクーポンは、様々な方法で消費者または他の基準に的が絞られ、例えば、処方薬に拘束され、消費者の人口統計に拘束され、または個々の薬局に拘束される。第１の抱き合わせ販売の例としては、おむつかぶれを制御するための軟膏における処方に拘束されるおむつ用のクーポンを挙げることができる。同様に、消費者によって与えられる人口統計情報は、婦人製品用のクーポンの対象を女性消費者に絞るために使用されてもよい。薬局関連のクーポンとしては、ストアブランドのためのクーポン、または薬局によって管理される特売品用のクーポンを挙げることができ、あるいは例えば薬局が大規模なストア、例えばＳａｍ’ｓ  Ｃｌｕｂであった場合には、クーポンを他の商品、例えば自転車用にすることができ、あるいは一般的な広告用にすることができる。
【００３５】
無論、顧客の現在の薬剤から更に低コストの製品への変更は、処方者によって承認されなければならない。さらに、異なる薬剤は、事前承諾（ＰＡ）を必要とする場合もある。ステップ６２において、顧客には、低コスト製品へ変更できるためのＳＰＰＣリストを有する処方者と直接に接触する選択肢または入札サービスプロバイダがＳＰＰＣリストを顧客のための処方者へ送ることを認める選択肢が与えられる。
【００３６】
ステップ６２において、入札サービスプロバイダがＳＰＰＣリストを処方者へ送ることを顧客が選ぶ場合には、ステップ６４において、顧客が以下の情報を与え、その後入札サービスプロバイダによって情報が自動的に送信される。
処方者名
住所
電話番号
ファックス番号
入手可能であれば、電子メールアドレス
ＨＩＰＡＡ認証（ステートメントチェックボックス）
クレジットカード情報
【００３７】
ステップ６６において、処方者は、顧客または入札サービスプロバイダによって示されるＳＰＰＣリストを検討する。ＳＰＰＣリストに記載された選択肢の処方者の承認／不承認を反映する処方は、その後、ステップ１４（図１Ａ）において事前に入札システムに対して再提出される。必要に応じて、ステップ１３において、新しい処方が入力される。
【００３８】
処方者は、顧客のための代理人としての役目を果たすことができる。本実施形態では、処方者は、処方箋を作る時間に顧客のコストを見ることができる。事前承認が必要とされる場合、処方者は、認証オンラインを提供することができ、顧客に対するコストに影響を及ぼす場合がある（これは、低コストの薬が患者に効かないことを医師が認定する場合に、一部の医療保障制度の条項によると、一部の薬が低い自己負担額またはコスト（すなわち、「ｕ−ｐａｙ」）を有するからである）。
【００３９】
ステップ５６（図１Ｂ）において顧客がＳＰＰＣに関して「ノー」を選択する場合、入札サービスプロバイダシステムは、選択されたマイル半径および必要とされるサービスに基づいて顧客の地理的サービス領域を決定するとともに、入札に適した顧客情報を、ステップ１４に示されるようなレジストリデータベース内の適切な薬局に対して送る。顧客サービス領域は、ジオマッピング法（geomapping method）により、あるいは顧客郵便番号＋全ての隣接する郵便番号によって所定の距離内、例えば顧客から１０マイル半径内で顧客により規定されるサービス領域内にある、あるいはメールオーダーが選択される場合にはメールオーダー薬局（処方薬プロバイダのための全国会議（ＮＣＰＤＰ）指示、あるいはメールオーダーレジストリ内のレジストリデータベースフィールドによって指定される）である入札サービスプロバイダレジストリデータベースに登録された全ての薬局として規定される。顧客によって選択される場合には、カナダの薬局レジストリまたは他のレジストリが含まれる。選択される薬局は、顧客によって選択される地理的領域内にあり、あるいはそれが顧客によって選択された場合にはメールオーダー薬局であってもよい。また、顧客はカナダの薬局または他の登録国／タイプの薬局が処方および／またはサービス項目に入札できるかどうかを尋ねられてもよい。「イエス」の場合には、入札サービスプロバイダのカナダのプロバイダレジストリおよび他の登録国／タイプで選択された任意のカナダの薬局および他の登録国／タイプの薬局に対して入札情報が送られる。
【００４０】
ステップ１４において、資格付与プロセス（qualification process）によって入札サービスプロバイダレジストリに加わり、かつ顧客のサービス領域内にある（あるいは、選択された場合にメールオーダーサービスを提供できる）薬局は、入札サービスプロバイダからの処方入札要求および入札への招待の通知を受ける。そのような通知は、電子的な手段、例えばイントラネットまたはインターネットを介することが好ましい（しかしながら、他の手段の通知を使用できる）。資格付与プロセスは、基準、例えば、通常および定期の製品およびサービスの最高料金に同意するという基準、登録契約毎に通常および定期の製品およびサービスに入札することに同意するという基準、ならびにサービスが利用可能な場合に薬局価格表に記載された価格において他の要求されるサービスに入札するという基準、ならびに医薬教育、様々な送達方法（例えば、メールオーダー、ウォークインおよび公共機関（institutional））、所望の処方パッケージ（例えば、単位用量およびバイアル）を与えること、２４時間サービス、２４時間薬剤師オンコールを含むがこれらに限定されない入札に要求されない他のサービスを加えるという基準、無料で予約に従って特定の予約のために与えられる全ての処方を満たし、かつ登録合意の全ての他の条件を尊重することに同意するという基準を含み得る。好ましくは、入札システムプロバイダは、薬局によって要求されるサービスにおいて満たされなければならない最小要件を規定する（例えば、２４時間サービスは、薬剤師が１日２４時間毎日現場にいなければならないことを意味する）。
【００４１】
図３は、非インターネット薬局における取引をリアルタイムで扱うためのサブシステムのフローチャートを示している。ステップ５０１において、消費者または処方者は、収集のためにマニュアルプロセスが使用されなければ、前述したようにオークションを始める。本システムは、ステップ５０３においてオークション要求を検討し、有料サービスが要求されているかどうかおよび潜在的な入札薬局が非インターネット薬局であるかどうかを決定する。両方の条件が当てはまっている場合には、ステップ５０５において、非インターネット薬局がオークションから除かれる。ステップ５０３における条件のうちの少なくとも一方が当てはまらない場合、ステップ５０７において、薬局はオークションに入ることが認められ、また、消費者は、前述したように勝ち薬局を選択する。ステップ５０９において、本システムは勝ち薬局がインターネットを使用するかどうかを決定する。薬局がインターネットを使用する場合、ステップ５１１において、通常の手順が前述したように使用される。勝ち薬局がインターネットを使用しない場合、ステップ５１３において、予約および電子処方は、入手可能な場合、勝ち薬局に対してファクシミリにより、あるいは電子的に送信される。ステップ５１５では、予約および取引の詳細がデータ交換システムへ送られる。データ交換システムは、典型的に、電子媒体、例えばサーバであるが、手動で行なうこともできる。取引の詳細は、典型的に、情報、例えば、予約番号、キーコード、薬品名、全ての予約、関連する国家医薬品コード（ＮＤＣ）番号、消費者ネームアドレスおよび他の個人情報、第三者識別番号、薬局名および薬局番号、価格、消費者支払い、システム支払い、および予約有効期限を含む。ステップ５１７では、データ交換システムが予約の詳細を受ける。予約の詳細は、ステップ５１９において、ファクシミリ、他の方法、または電子処方（e-prescription）によって薬局へ転送される。その後、薬局は、データを薬局のシステム内へ手動で入力する。薬局は、その後、ステップ５２１において、取引の詳細をデータ交換システムへ送り戻す。薬局から送り戻されたデータは、典型的に、ＮＣＰＤＰによって必要とされる情報およびフォーマット、例えば、ＮＤＣ分配情報、消費者番号、薬局番号、処方情報、利益情報の調整等を含む。ステップ５１７で受けられる予約の詳細およびステップ５２１で送られる取引の詳細はいずれも、ステップ５２３において、データ交換システムによって受けられる。その後、本システムは、薬局およびシステムデータを予約番号と照合させる。データ交換システムは、その後、ステップ５２５において、情報、例えば消費者支払い、システム支払い、ＮＣＰＤＰ番号、処方番号、および調合日を薬局に対して送信する。薬局は、支払い情報を受けて、処方を調合する。ステップ５２７では、ステップ５２３からの照合された予約情報は、入札システムへ送り戻される。データ交換システムから交換された情報は、典型的に、予約番号、キーコード、分配されたＮＤＣ、処方番号、処方日、利益情報の調整、消費者識別番号、およびＮＣＰＤＰ番号を含む。ステップ５２９において、入札システムは、終了された取引情報を受けるとともに、ステ���プ５３１では、他の場所（例えば、図２のステップ１８７）で説明したように通常の入札システムプロセスを続ける。
【００４２】
薬局は、顧客によって要求され、かつステップ１２での入札要求に含まれる全ての要求に従わなければならない入札をしている薬局による入札要求に応答する（手動であるいは自動で）。また、応答している薬局は、入札において、更なるオプションのサービスを含んでいてもよい。応答している薬局のそれぞれは、ステップ２０において、その入札を入札サービスプロバイダに対して提出する。入札は、電子的に、例えばイントラネットまたはインターネットによって、応答している薬局から入札サービスプロバイダに対して送信されることが好ましいが、代わりの通信形態、例えば電話、ファクシミリおよび郵便が、好ましくはないが使用されてもよい。
【００４３】
代替の実施形態において、薬局には、入札に対する選択肢が与えられてもよく、あるいは与えられなくてもよい。一般に、薬局参加１８を最大にするために入札オプション１８は利用できない。
【００４４】
図１Ｃを参照すると、ステップ２２では、各応答薬局からの入札が入札サービスプロバイダによって受けられるため、入札が「逆オークション」の形態で見えるように全ての応答薬局のために掲示される（post）。掲示（posting）は、電子的なネットワーク、例えばイントラネットまたはインターネットを使用して行なわれることが好ましく、それにより、各応答薬局に対し、それらのそれぞれの入札の状態および相対的な配置に関するリアルタイムフィードバックを提供する。プロセスが作用している間、競合薬局によって提供される低い価格により入札下にあった薬局は、その後、新たな更に低い入札を手動提出しおよび／またはサービスを無料で加えることができる。本発明の好ましい実施形態において、応答薬局は、それらの入札価格が提出された後はその入札価格を上げることは許可されない。
【００４５】
薬データベース内のそれぞれの薬または薬の種類毎に、薬局登録者は、数式によって、製品における入札サービスプロバイダ薬局登録価格を下回る最低価格を設定することが許される。薬は、入手不可能（ＮＡ）として列挙されてもよい。登録された薬局の最低価格は、典型的に、標準的な業界価格指数、例えば、市販薬データベース内の平均卸値（ＡＷＰ）または薬剤償還限度価格（ＭＡＣ）に基づいている（例：価格＝ＡＷＰ−１０％＋＄２．５０料金）。本発明の更なる改良において、薬局は、より多くのオークションに含まれるように、異なる第三者支払人毎に式を調整してもよい。薬局登録価格は、レジストリに含まれるために薬局が同意する最大許容価格である。この場合も先と同様、薬局登録価格は、典型的に、標準的な業界価格指数に基づいている。
【００４６】
薬は、ジェネリック医薬品識別子（ＧＰＩ）コード（１４文字構造）または他の薬剤分類システムによって特徴付けられてもよい。７つの２文字対を表わす１４文字は、様々な薬サブセットを規定するために使用される。薬グループ、薬クラス、薬サブクラス、薬品名、薬投薬形態、および薬の強さは、Ｍｅｄｉ−Ｓｐａｎ  ＭＤＤＢ薬データベース（ｈｔｔｐ：／／ｗｗｗ．ｍｅｄｉ−ｓｐａｎ．ｃｏｍ／）で見出される部分ＧＰＩのサブセットのうちの６つである。ＧＰＩおよび他のデータ要素、例えばジェネリック医薬品パッケージコード（ＧＰＰＣ）および国家医薬品コード（ＮＤＣ）は、薬の価格付けをするのを助けるため、また、ブランド医薬品対ジェネリック医薬品を決定するのを助けるために利用される。
【００４７】
薬局が標準的なＢｉｄＲｘSM登録価格とは異なる価格付けをしたい各製品において登録薬局によって価格表または価格付けアルゴリズムが一旦終了されると、逆オークションは、特定の低下インクリメントで顧客項目毎に薬局に入札する自動入札モジュールから始める。自動入札は、薬局がそれ自体に逆らって入札していない限り、あるいは最低価格が満たされる限り続く。最低価格は、市場競争を維持するための手段として第三者支払人によって設定されてもよい。
【００４８】
薬局プロバイダのための手動入札プロセスは、要求のサービス領域内の入札薬局が入札サービスプロバイダ要求および現在の最低入札の全てを見ることができるようにするスクリーンからなる。サービスのための薬局決定価格は、薬局価格決定に置かれるとともに、要求されるサービスのために製品入札に対して加えられる。スクリーンにより、薬局は、各製品およびサービスにおける価格に手動で入力できる。手動オプションの使用により、薬局は、オークションまたはオークションのグループにおけるその最小値を一時的にリセットすることにより入札することができるとともに、無料でサービスを加えて顧客による最良適合を得て落札しようとすることができる。
【００４９】
薬局サービスデータベースにおける各サービスに関して、薬局は、薬局決定料金、無料（Ｎ／Ｃ）、入手不可能（Ｎ／Ａ）、およびサービスの量または単位による最低料金のためのフィールドをデータベース中に設定することが許される。一旦価格表がサービスに関して設定されると、自動入札モジュールは、薬局決定価格を有する顧客要求サービスのそれぞれに入札する。（Ｎ／Ｃ）として列挙されたサービスは、顧客がそのサービスを要求した場合、あるいは要求しない場合に、各入札に対して加えられる。有料で提供されるが顧客によって要求されないサービスは、顧客の将来の参照のため、通常および顧客価格でサービス入札の視認可能なスクリーンに対して加えられる。
【００５０】
入札がステップ１２で開始すると、ステップ２４において、応答薬局のそれぞれからの最良の入札が元の顧客に対して報告される。顧客は、電子メールメッセージによって電子的に通知されるか、あるいはインターネットを介してアクセスされることが好ましいが、代替手段、例えば電話、ファクシミリおよび郵便が使用されてもよい。ステップ４０における入札報告は、逆オークション中に連続的におよび／または設定された入札期間が閉じた後に顧客に対して与えられてもよい。
【００５１】
各薬局入札からの製品およびサービスの各組み合わせにおける最低入札は、ステップ２４において、顧客に対して戻される。製品およびサービスにおける薬局登録最高価格は、特定のオークションのための手動または自動の入札を有さないサービス領域内の全ての薬局のために戻される。
【００５２】
ステップ２６における顧客インタフェースにより、いくつかの異なる方法、例えば以下の方法で入札情報を表示させることができる。
１．製品価格のみに基づく最低〜最高
２．製品およびサービスの組み合わせの価格設定に基づく最低〜最高
３．要求されるサービスを超えるサービスを提供する薬局の製品およびサービスの組み合わせに基づく最低〜最高
４．提供されるサービスの数に基づく最高〜最低
５．その他
注記：前記リストは、品目別に価格付けされて総計される入札の要素の全て、ならびに薬局の名前、住所、電話番号、ファックス番号、電子メールアドレス、および入手可能であれば薬局ウェブサイトリンクを含む。
【００５３】
ステップ２６において、顧客は、自分達の個々の好みに基づいて、顧客の個々のニーズと一致する最良の入札を選択する。そのような好みとしては、好みの薬局、処方コスト、利用可能な付属サービス、薬局と顧客との近さを挙げることができる。顧客には、入札期間の閉鎖前に勝ち入札を選択する選択肢が与えられてもよい。顧客は、このステップ中、彼らの選択を入札サービスプロバイダに対して知らせ、また、入札サービスプロバイダは、予約番号と処方のための薬局の入札の期間に対応するキーコードとを顧客に提供する。
【００５４】
ステップ２８において、失敗した応答薬局には、入札番号が通知され、場合により、特定されない患者情報が通知される。ステップ３０では、成功した応答薬局にも、入札番号が通知されるとともに、顧客と同じ予約番号が提供され（ステップ２６における場合のように）、また、成功した応答薬局は、患者特定情報を受けてもよい。成功した薬局および失敗した薬局は、電子メールメッセージを介してまたはインターネットウェブサイトを介して通知されることが好ましいが、代替手段、例えば電話およびファクシミリが使用されてもよい。処方は、ステップ３２における場合のように、ステップ２６の薬局の勝ち入札およびキーコード、ＮＤＣ番号および処方番号が薬局のＢｉｄＲｘSM予約に入力された条件（term））に従って、成功した応答薬局によって調合される。キーコードは、処方が調合されたという証拠としての機能を果たし、これにより、入札サービスプロバイダが薬局に支払うことを許可する。
【００５５】
ステップ３２において、消費者は、その後、通常の手段によって薬局と接触し、予約番号およびキーコードと共に入札製品における有効な処方を提示する（これは、入札が認められた後にだけ行なうことができる）。勝ち入札は、予約の有効期限まで入札サービスプロバイダのシステムに残る。顧客および勝ち薬局だけがログインおよびパスワードによって勝ち入札の情報にアクセスする。勝ち薬局は、処方を調合するとともに、予約で指定されたサービスを入札価格で提供する。
【００５６】
１つの実施形態において、処方は、入札システムデータベースに記憶できるとともに、薬局に対して電子的に送信される（電子処方（e-prescription））。そのような電子処方は、電子メール、イントラネット、インターネット、ウェブまたは任意の他のタイプの電子転送システムによって送ることができ、あるいはファクシミリによっても可能である。処方を入札システムに電子的に記憶させることにより、本システムは、再調合が認められる場合には再調合を自動的に作成するとともに、消費者が再調合中に薬局を切り換える場合には、処方のコピーのため異なる薬局に対して再調合を送信することができる。
【００５７】
大規模薬局に適する１つの利点は、処方注文の中央フルフィルメント（central fulfillment）である。例えば、大都市圏、例えばマンハッタンの一連の薬局は、賃貸および不動産コストを減少させるために、都市圏外で薬および他の所定の品目を保管して処理することを望んでいる。薬局は、遠隔地（例えば、都市圏外）で処方を集約的に調合することができるとともに、顧客によって指定される引取り時間または送達時間を使用して、調合された処方を他の薬局に対してジャストインタイムで（just-in time）送達することができる。
【００５８】
予約の有効期限が切れた後、勝ち入札の情報は、ステップ３４で示されるように、入札サービスプロバイダのシステムで、サービス領域内の全ての薬局が利用できる。ただし、顧客および薬局の情報は除く。このデータを見る薬局は、この情報に関して問い合わせを行なうことができ、それにより、新たな入札を獲得する機会を増やすことができる。いくつかの例は以下の通りである。
１．指定期間毎の成功入札の数
２．指定期間毎の利用可能な入札数
３．指定期間における薬局による成功入札のパーセンテージ
４．所定期間にわたる製品およびサービスにおける勝ち入札価格（顧客も利用できる）
５．以下の選択に基づいて最高〜最低を列挙
ａ．製品価格データベース
ｂ．サービスデータベース
薬局は、入札情報を受けるとともに、
１．ＢｉｄＲｘSMシステムユーザインタフェースを介して手動で入札することができ、
２．ＢｉｄＲｘSMシステムにそれらにおける登録価格を自動的に入札させることができ、
３．ＢｉｄＲｘSM自動入札モジュールに入札価格を薬局設定最低額まで下げさせることができる。
【００５９】
図１Ａに戻って参照すると、顧客がステップ１０で２）を選択する場合（薬物療法管理／他の認識サービスのみ入札要求（other Cognitive Services Service Only Bid Request））、彼らは、ステップ３６において、医薬認識サービスの以下のタイプから選択するように求められる。
１．薬学的ケアコンサルティングおよび評価入札要求
２．薬歴評価入札要求
３．他の認識サービス
【００６０】
典型的に、入札サービスプロバイダは、前記サービスを提供しないが、その代わり、顧客がこれらのサービスのための入札を要求するためのシステムと、これらのサービスの第三者プロバイダが入札するシステムとを与え、それにより、サービスのための予約が勝ち入札価格で得られる。代替の実施形態では、ＭＴＭＳまたは他の認識サービスを提供するために、適切な状況下で入札サービスプロバイダが入札されてもよい。更なる代替の実施形態において、入札サービスプロバイダは、自動的にあるいは手数料を徴収して場合により、入札システムを使用することによって得られる顧客の処方記録に基づいて、ＭＴＭＳ／他の認識サービスを行なってもよい。
【００６１】
ＭＴＭＳ／他の認識サービスの１つの形態は薬歴評価入札要求（ＤＰＥ）である。ＤＰＥは、顧客が診断、アレルギー、年齢、性別、食生活、ライフスタイル等に伴って服用している顧客の現在の薬の検討である。この検討は、顧客の薬剤の有効性を最大にするとともに、コストを最小限に抑える。以下は、この種の検討で果たされるいくつかの項目例である。
１．適応を伴わない薬剤使用。顧客は、医学的に有効な適応もなく薬剤を服用している。
２．未治療適応。顧客は、薬物治療を必要とする医学上の問題を有するが、その適応のための薬を受けていない。
３．不適切な医薬品選択。顧客は、薬物適応を有するが、誤った薬を服用し、あるいは顧客の特定の必要性に最も適しているものではない薬を服用している。
４．治療量以下の投薬量。顧客は、非常に僅かな正しい薬剤を用いて処置されているという医学上の問題を有する。
５．過剰な投薬量。顧客は、多すぎる正しい薬剤を用いて処置されているという医学上の問題を有する。
６．有害医薬品反応。顧客は、有害医薬品反応または副作用の結果である医学上の問題を有する。
７．薬物間相互作用。顧客は、薬−薬、薬−食物、または薬−研究室試験の相互作用の結果である医学上の問題を有する。
８．薬剤監視。有効性および毒性または副作用のための薬剤の評価入札要求。
９．薬剤コスト。顧客が更に低いコストの薬剤にアクセスする、あるいは薬剤アクセスに対する障壁（例えば、処方制限または事前承諾）を乗り越えるのを助けるために介入が必要とされる。
【００６２】
ＭＴＭＳ／他の認識サービスの別の形態は薬学的ケアである。米国薬剤師会（http://www.aphanet.org/）によって概説されるような薬学的ケアは、薬剤師が患者に呼応して対処することを必要とし、かつ患者の他のヘルスケアプロバイダが健康を増進させ、病気を防止し、薬剤使用を評価し、監視し、開始し、変更して薬物治療レジメンが安全で効果的となるようにすることを必要とする、患者中心の結果本位の薬局実務である。薬学的ケアの目的は、患者の健康に関する生活の質を最適化して、現実的な経済的支出の範囲内でプラスの臨床結果を得ることである。本目的を達成するため、以下が達成されなければならない。すなわち、（Ａ）仕事上の付き合いが確立されて維持されなければならない；（Ｂ）患者固有の医学情報が収集され、体系化され、記録され、維持されなければならない；（Ｃ）患者固有の医学情報が評価され、薬物治療プランが患者と相互に作り上げられなければならない。
【００６３】
プランは、患者の病気または健康状態のそれぞれを扱う様々な構成要素を有し得る。プランを設計する際、ＭＴＭＳプロバイダは、病気の心理社会的態様および治療のコストおよび／または複雑さと患者遵守（adherence）との間の潜在的関係を注意深く考慮しなければならない。患者の代弁者のうちの一人として、ＭＴＭＳプロバイダは、患者の他の薬局プロバイダおよび患者との薬物治療の調整を確保する。また、患者は、（１）薬物治療に関連する選択肢の様々な賛否両論（すなわち、コスト、副作用、異なる監視態様等）、および（２）ＭＴＭＳプロバイダの専門的な判断に基づいて１つの選択肢が更に有利となり得る事例を知らされていなければならない。患者の責任を含むプランの本質的要素は、患者に対して注意深く、かつ完全に説明されなければならない。情報は、患者が理解できるレベルで、患者に対して与えられるべきである。薬物治療プランは、患者の薬局記録に文書化されて、必要に応じて患者の他のヘルスケアプロバイダに対して伝えられなければならない。
【００６４】
他の認識サービスが入札して、サービスが提供されてもよい。
【００６５】
図１Ｇに示されるように、ステップ３７において、顧客は、その後、所望のサービス領域に所望の入札時間制限で入るように要求される。その後、ステップ３６において、選択に応じて異なる流れ経路が続く。薬学的ケアコンサルティング入札要求３０１、または薬歴評価入札要求３１１、または他の認識サービス入札要求２２１がサービス領域でＭＴＭＳ／他の認識サービスプロバイダのレジストリに対して提出される（それぞれステップ３０３、３１３または３２３）。異なるレジストリのＭＴＭＳ／他の認識サービスプロバイダは、個々のＭＴＭＳプロバイダの資格付与および関心（interest）に基づいて同じであってもよく、あるいは異なっていてもよい。一般に、ＭＴＭＳサービスプロバイダは、特に、薬剤師、医師、看護婦、処方者、コンサルタント、または他の医療専門家を含む。ＭＴＭＳ／他の認識サービスプロバイダ（ステップ３０３、３１３、３２３）は逆オークションで自動的におよび／または手動で入札する（ステップ３０５、３１５、３２５）。逆オークションからの最低入札（ステップ３０５、３１５、３２５）は、オークション中に連続的におよび／または入札期間が閉じた後に顧客に対して報告される。顧客は、入札を検討して、顧客の好みに最も一致する入札を選択する（それぞれステップ３０７、３１７または３２７）。ステップ３０９において、落札者および顧客は予約番号を受け、また、顧客は入札の状態および価格を表わすキーコードも受ける。顧客は、落札者とのオークションを確かめるために使用されるキーコードを更に受ける。ステップ３２９において、顧客は、落札者と接触することができるとともに、検討に適した情報を落札者に対して与えることができる。落札者は、典型的に、ＭＴＭＳ／他の認識サービス契約を容易にするために入札サービスによって料金が請求される。
【００６６】
ＭＴＭＳ／他の認識サービス予約番号ステートメントは例えば以下の命令を含んでもよい。
「あなたが自分の予約を実行したい場合には、この予約番号およびキーコードを、市販の薬剤、ビタミン、サプリメントおよび／または薬草療法を含むあなたが現在摂取する全ての薬剤の完全なリストと共に、ＭＴＭＳ／他の認識サービスプロバイダに対して与えてください。それにより、ＭＴＭＳ／他の認識サービスプロバイダは、あなたの処方を適切に検討することができるとともに、正しいサービスをあなたに提供することができます。他の認識サービス、入札およびサービスが提供される場合もあります。」
【００６７】
本発明の利点は、患者が仕事、医療プラン、医師、病院、または保険会社を切り換えあるいは、それを自己負担で支払う場合であっても、入札システムを使用して患者により得られる処方の連続的な履歴を維持できるという点である。現在、患者の処方履歴は、そのような取引によって頻繁に転送されず、各変化後に再構成されなければならない。そのような再構成は、患者の履歴にエラーまたは省略をもたらす場合がある。本システムを用いると、顧客は、入札サービスプロバイダを介して顧客が行なった全ての健康関連の取引のレポートを得ることができるとともに、そのレポートを勝ったＭＴＭＳ／他の認識サービスプロバイダまたは任意の患者代弁者に対して提供することができる。
【００６８】
図１Ａおよび図１Ｄに戻って参照すると、ステップ８において、顧客が「あなたは自分の薬局処方の全てあるいは一部を支払うドラッグカードを持っていますか」に対して「ＹＥＳ」と言うと、顧客は、ステップ８０において、識別情報（例えば、以下の情報（ＢｉｄＲｘSMまたはメンバーカードまたは保険証における顧客のプロフィールに現れるように））を入力するように求められる。
１．誰によって処方薬プランが投与されるのか*
２．グループ番号*
３．プラン番号*
４．加入者／カード所持者／メンバー番号*
*このデータは、入札システム、メンバーカードと適合される第三者クライアントデータベースからくるものであり、また、各プランは、適格データベース、インセンティブデータベース、自己負担金データベース、および事前承諾データベースに対して接続される。
【００６９】
登録後、顧客は、医薬処方およびサービス入札要求に基づいて入札を要求してもよい。顧客は、ステップ８２において、１）医薬処方およびサービス入札要求または２）薬物療法管理サービスのみ入札要求を選択すべきかどうかの選択を有する。
【００７０】
顧客がステップ８２で１）を選択する場合、顧客は、図１Ｅに示されるようにＳＰＰＣを自動的に有する。薬が１００％自己負担金である場合、顧客には、ステップ５７に記載されるように、ＳＰＰＣのための機会が与えられる。１００％自己負担の薬剤に関してＳＰＰＣが選択される場合、本方法は、無料でなければ、ステップ５８へ移行する。ステップ８２において顧客が２）を選択する場合、本プロセスは、前述したように図１Ｇへ進む。
【００７１】
異なる製品がＳＰＰＣから選択される場合、ステップ２０１において、顧客は、ＳＰＰＣにおいて選択された新しい製品と共に、必要な情報、例えば、医薬処方、顧客名、顧客言語選好、顧客住所、顧客電子メールアドレス、薬品名*、薬の強さ*、薬の形態*、薬の量*、全ての処方調合（選択された更なる処方がこの時点で加えられる場合）、医薬サービス*、医薬教育、送達、メールオーダー、カナダ薬局（ＹｅｓまたはＮｏ）、単位用量、ブリスターパッケージ、バイアル、コンプライアンスパッケージ等を含む特定パッケージ、２４時間サービス、２４時間薬剤師コール、医薬品管理サービス等、入札時間制限（時）の選択を入力する。
*＝ポップアップボックスまたは他の方法によってデータベース／リストから選択される項目。
【００７２】
第三者プログラムが特定の製品または製品グループのための事前承諾を必要とする場合には、以下が起こる。
１．入札サービスプロバイダシステムにより、これらの製品を、それら自体の固有のリストへ、認可された「第三者」代理人によって入力することができる。それぞれの特定の製品または製品のグループは、対応する「事前承諾」（ＰＡ）形式である。この形式は、処方者が調合して元のシステムに提出する利用可能なオンラインであってもよい。
２．ステップ２０３において、入札サービスプロバイダシステムは、「ＰＡ」要件特定第三者リストに関して、顧客によって入力される製品をチェックする。
３．製品が「ＰＡ」リストに見出される場合、顧客は、ステップ２０５において、彼らの処方者が情報を入札サービスプロバイダシステムへ「事前承諾」（ＰＡ）形式で電子的に入力する必要があるというメッセージを戻される。「ＰＡ」形式は、
Ｙｅｓ／Ｎｏ応答またはポップアップボックスを用いてステップ２０７において処方者により調合し易い。
４．「事前承諾」（ＰＡ）形式が完了されて認可されると、製品への入札が許容される（ステップ２０３）。
【００７３】
顧客は、類似製品価格比較（ＳＰＰＣ）を有するように第三者支払人によって求められる場合もあるし、あるいは製品のための入札および入札のためのサービスを提出する前に代弁人または代理人によって求められる場合もある（ステップ２０９）。
【００７４】
ステップ２１１において、類似製品価格比較（ＳＰＰＣ）の結果が顧客に対して与えられた後、顧客は、ステップ２１３において、入札サービスプロバイダにリストを自分の処方者へ送ってもらいたいかどか尋ねられる。「ＹＥＳ」である場合、入札サービスプロバイダは薬局入札検討へ移行する。「ＹＥＳ」の場合、システムは、ステップ２１５において、以下を求める。
１．処方者名
２．住所
３．電話番号
４．ファックス番号
５．入手可能な場合には電子メールアドレス
６．ＨＩＰＡＡ認証（ステートメントチェックボックス）
７．場合により、第三者がＳＰＰＣ結果を直接に転送するために入札サービスプロバイダの代金を支払わない場合には、顧客のクレジットカードまたは他の支払い情報を求める。
【００７５】
ステップ２１７において、処方者は、ＳＰＰＣリストを、顧客によって与えられようと、あるいは入札サービスプロバイダによって与えられようと検討する。ＳＰＰＣに列挙された選択肢の処方者の承認／不承認を反映する処方は、その後、図１Ｄのステップ８４の前に、ステップ２１９において、入札システムへ再提出される。ステップ８４では、全ての必要な処方情報が入札サービスプロバイダを用いて入力される。
【００７６】
薬局は、ステップ８６において入札情報を受けるとともに、ステップ８８において、
１．入札サービスプロバイダシステムユーザインタフェースを介して手動で入札することができ、
２．入札サービスプロバイダシステムにそれらにおける登録価格を自動的に入札させることができ、
３．入札サービスプロバイダ自動入札モジュールに入札価格を薬局設定最低額まで下げさせることができる。
【００７７】
プロセスは、図１Ｆに示されるようにステップ３８において継続する。ステップ３８では、各応答薬局からの入札が入札サービスプロバイダによって受けられるため、入札が「逆オークション」の形態で見えるように全ての応答薬局のために掲示される。ステップ３８の逆オークションは、前述したものと同じである。掲示は、電子的なネットワーク、例えばイントラネットまたはインターネットを使用して行なわれることが好ましく、それにより、各応答薬局に対し、それらのそれぞれの入札の状態および相対的な配置に関するリアルタイムフィードバックが与えられる。本プロセスが作用している間、競合薬局によって提供される低い価格により入札下にあった薬局は、その後、新たな更に低い入札を手動提出しおよび／またはサービスを無料で加えることができる。本発明の好ましい実施形態において、応答薬局は、それらの入札価格が提出された後はその入札価格を上げることは許可されない。登録薬局は、前述したように逆オークションのための最低価格を設定することができおよび／または手動で入札することができる。さもなければ、登録薬局は、登録のメンバーのために許容された最高価格であるデフォルト入札を自動的に提出する。
【００７８】
入札がステップ３８で開始すると、ステップ４０において、応答薬局のそれぞれからの最良の入札が元の顧客に対して報告される。顧客は、電子メールメッセージによって電子的に通知され、あるいはインターネットを介してアクセスされることが好ましいが、代替手段、例えば電話、ファクシミリおよび郵便が使用されてもよい。ステップ４０における入札報告は、逆オークション中に連続的におよび／または設定された入札期間が閉じた後に顧客に対して与えられてもよい。
【００７９】
ステップ４０における顧客インタフェースにより、いくつかの異なる方法、例えば以下の方法で入札情報を表示させることができる。
１．製品価格のみに基づく最低〜最高
２．製品およびサービスの組み合わせの価格設定に基づく最低〜最高
３．要求されるサービスを超えるサービスを提供する薬局の製品およびサービスの組み合わせに基づく最低〜最高
４．提供されるサービスの数に基づく最高〜最低
５．その他
注記：前記リストは、品目別に価格付けされて総計される入札の要素の全て、ならびに薬局の名前、住所、電話番号、ファックス番号、電子メールアドレス、および入手可能であれば薬局ウェブサイトリンクを含む。
【００８０】
ステップ４２において、顧客は、自分達の個々の好みに基づいて、顧客の個々のニーズと一致する最良の入札を選択する。そのような好みとしては、好ましい薬局、処方コスト、利用可能な付属サービス、および薬局と顧客との近さを挙げることができる。顧客には、入札期間の閉鎖前に勝ち入札を選択する選択肢が与えられてもよい。顧客は、このステップ中、入札サービスプロバイダの選択を知らせ、また、入札サービスプロバイダは、予約番号と処方のための薬局の入札の条件（term）に対応するキーコードとを顧客に与える。
【００８１】
ステップ４４では、失敗した応答薬局が通知される。また、ステップ４４における場合と同様に、成功した応答薬局にも通知されるとともに、顧客と同じ予約番号が与えられる。成功した薬局および失敗した薬局は、電子メールメッセージを介してまたはインターネットウェブサイトを介して通知されることが好ましいが、代替手段、例えば電話およびファクシミリが使用されてもよい。処方は、ステップ４６において、薬局がステップ４２の勝ち入札の条件で、かつキーコードが薬局ＢｉｄＲｘSM予約に入力された条件に従って、成功した応答薬局によって調合される。キーコードは、処方が調合されたという証拠としての機能を果たし、これにより、入札サービスプロバイダが薬局に支払うことを許可する。
【００８２】
ステップ４６において、顧客は、その後、通常の手段によって薬局と接触し、予約番号およびキーコードと共に入札製品における有効な処方を提示する（これは、入札が認められた後にだけ行なうことができる）。勝ち入札は、予約の有効期限まで入札サービスプロバイダのシステムに残る。顧客および勝ち薬局だけがログインおよびパスワードによって勝ち入札の情報にアクセスする。勝ち薬局は、処方を調合するとともに、予約で指定されたサービスを入札価格で提供する。
【００８３】
予約の有効期限が切れた後、あるいは処方が調合された後、勝ち入札の情報は、ステップ４８で示されるように、入札サービスプロバイダのシステムで、サービス領域内の全ての薬局が利用できる。ただし、顧客および薬局の情報は除く。このデータを見る薬局は、この情報に関して問い合わせ５０を行なうことができ、それにより、新たな入札を獲得する機会を増やすことができる。いくつかの例は以下の通りである。
１．指定期間毎の成功入札の数
２．指定期間毎の利用可能な入札数
３．指定期間における薬局による成功入札のパーセンテージ
４．所定期間にわたる製品およびサービスにおける勝ち入札価格（顧客も利用できる）
５．以下の選択に基づいて最高〜最低を列挙
ａ．製品価格データベース
ｂ．サービスデータベース
【００８４】
なお、本発明は、健康保険プランに参加している顧客によって制限なく使用されてもよい。同様に、保険をかけていない顧客が、本発明を使用して、薬価格割引を得るとともに、ケアの全体のコストを低く抑えつつ所望の薬局サービスの利用可能性を増大させてもよい。
【００８５】
多くのレポートを形成するため、入札システム内に含まれる情報に基づいてデータマイニングが行なわれてもよい。原則として、実体（entity）がどんな情報をシステムに入れようとも、それらをレポートとして取り戻すことができる。多くのレポートは、見ることができるオンライン、例えばＳＰＰＣリスト、（顧客／代理人または薬局による）継続中のオークション、終了したオークションの要約レポート、地元地域価格、全ての地元の薬局のリスト（それらの薬局のウェブページへのリンクを含んでいてもよい）、およびそれらの薬局によって提供されるサービスのリストである。同様に、処方者は、彼らが患者の代理人として行なったことに関するレポート、ＰＡ承認、および／または、地元地域薬価格にアクセスしてもよい。薬局における更なるレポートとしては、薬局が勝ったオークションにおける価格、いくつの処方を薬局が調合する必要があるのか、実際の販売価格と入札コストとの比較、地域における全ての薬局に関する販売の詳細（終了されかつ３０日等の時間のずれが与えられた販売に関して）、薬局待ち行列における勝ったオークションに基づく在庫必要物の予測、および全ての第三者支払人の最高価格および最低価格に関するレポートを挙げることができる。また、薬局は、全企業レベルでの個々の薬局または地方の薬局に関するレポートを得てもよい。顧客は、彼らの入札処方取引の全てに関するレポートを得ることができる。ＰｈＲＭＡは、特定されなかった顧客データ、何の薬が購入されるかについての詳細等、に関するレポートを得ることもできる。
【実施例】
【００８６】
図２は、薬を提供するための入札プロセスのステップの順序および相互作用を示す本発明の好ましい実施形態のタイムラインである。顧客（１０１）は、入札システム（ＢｉｄＲｘSM）（９９）に登録する（１０３）。このような登録はオンラインであることが好ましい。その後、顧客には、サインオン識別子（１０５）が提供される。あるいは、処方者または消費者が許可する場合には他の誰かが（１０７）、顧客（１０１）のための代理人（１０９）としての役目を果たすことができる。また、処方者１０７は、処方者として登録して（１１１）、サインオン識別子（１１３）を得てもよい。
【００８７】
予め資格が与えられたＭＴＭＳプロバイダ（１１５）は、紙によってあるいは適切な場合にはオンラインによって登録する（１１７）とともに、サインオン識別子（１１９）を受ける。プロバイダ／薬局（１２１）は、紙によってあるいは適切な場合にはオンラインによって登録するとともに、サインオン識別子（１２５）を受ける。薬局は、最低価格および提供されるサービスのテーブル（１２７）を入札システム（９９）に対して与える。入札システム（９９）は、テーブル（１２７）と相互に作用して、合意による開始入札を設定するとともに、薬局（１２１）と相互に作用して、異なる第三者支払人（１２９）によって課される最高入札および最小入札を薬局に知らせる。
【００８８】
第三者支払人（１２９）は、紙によってあるいは適切な場合にはオンラインによって入札システム（９９）に登録するとともに、ＣＯＢ要件のサインオン識別子（１３３）エントリを受ける。第三者支払人は、自己負担金、利益の調整、ＰＡおよび他のテーブル、および最高および最小の入札を含むプラン設計（１３５）を提出する。
【００８９】
医薬サプライヤ（１３７）（ＰｈＲＭＡとしても公知である）は、紙によってあるいは適切な場合にはオンラインによって登録する（１３９）とともに、サインオン識別子（１４１）を受ける。ＰｈＲＭＡ（１３７）は、クーポン／リベートテーブル（１４３）を入札システム（９９）に対して提供する。
【００９０】
オークションは、顧客または代理人のサインオン（１４５）によって始まる。顧客がＭＴＭＳサービス（１４７）を選択する場合、これらのサービスが適切なモジュールへ迂回される。しかしながら、顧客または代理人が入札情報（１４９）を入力する場合、入札システム（９９）は、第三者適格（１５１）を自動的にチェックし、また、適切な場合には、第三者事前承認要件（１５３）を自動的にチェックする。第三者事前承認チェック（１５３）が必要とされる場合、ＰＡ要求が処方者へ自動的に送られて戻されてもよい（１５５）。事前承諾が必要とされない場合、または事前承諾要求が戻される場合には、ステップ（１５７）において、入札が入札システム（９９）に対して提出される。この時点で、顧客がＳＰＰＣ比較を要求してもよく（１５９）、あるいは顧客の代理人が何らかのＳＰＰＣを要求してもよい（１６１）。顧客が第三者支払人の資格がある場合、典型的に第三者支払人（１２９）に対して請求される関連する費用を用いてＳＰＰＣ要求が自動的に形成される（１６５）。ＳＰＰＣ要求が顧客によって（１５９）、あるいは代理人によって（１６１）与えられる場合には、顧客が支払い情報を入力する（１６３）。この時点で、任意の事前の手段によってＳＰＰＣ要求が提出された場合、ＳＰＰＣリスト（１６７）が形成されて要求者に対して送信される（１６９）。ＳＰＰＣリストが顧客に対して与えられる場合、顧客は、代替薬剤のうちの１つをリストから選択しおよび／またはＳＰＰＣリストを処方者に対して提出する（１６９）という選択を有する。あるいは、第三者支払人または処方者がＳＰＰＣリストを要求する場合、ＳＰＰＣリスト（１６７）は、承認し、否定し、必要に応じて事前承諾を与えるために処方者（１０７）へ自動的に送られてもよい（１６９）。この時点で、入札要求がオークションモジュールへ送信される（１７１）。自動入札（１７５）を伴うオークション（１７３）は、オークションイベントが始まるとほぼ即座に起こる。顧客（１０１）または医師代理人（１０７）は、入札状態（１７５）を検討することができるとともに、任意の時点で入札（１７９）を選択することができ、それにより、オークションを完了させることができる。オークション（１７３）が行なわれている間、薬局（１２１）は、継続中のオークションを検討し、この処方を調合するための権利を勝ち取ろうとして製品およびサービスに手動で入札してもよい（１７７）。顧客（１０１）または医師代理人（１０７）によって既に終了されていなければ、オークション（１７３）は、所定の時間制限の終わりにステップ１８１において終了する。ステップ１８１において、顧客は、入札のうちの１つを受け入れ、あるいは入札の全てを拒絶する。顧客が入札を受け入れる場合、予約番号および入札情報（キーコードを含む）（１８３）が顧客に対して送信される。同時に、予約番号（および顧客に関する情報）（１８５）が勝ち薬局（１２１）に対して送信される。処方が調合され、かつ薬局にキーコードが与えられると、顧客の予約薬局は、ＮＤＣ、処方番号、更なる情報を与えてもよく、また、薬局料金の電信為替（electronic transfer）（１８７）が勝った薬局のアカウントから入札システム（��９）のアカウントへ送信される。その後、ＰｈＲＭＡ（１３７）からの任意のクーポンまたはリベート（１８９）が入札システム（９９）へ送信される。同様に、任意の第三者費用（１９１）は、入札システム（９９）に電気的に送信される。その後、第三者支払金およびＰｈＲＭＡ支払金が薬局（１２１）へ送られる（１９３）。
【００９１】
本発明のシステムに加えられ得る別の特徴は、品質評価を与えることである。プロバイダおよび顧客には、取引の結果に基づいて互いのフィードバックまたは品質評価を与えるための機会を与えることができる。その後、顧客は、入札プロセスからの粗末な品質評価を有するプロバイダを排除することができ、一方、プロバイダは、それらが粗末な品質定評価を有する顧客のための任意の処方に入札しないことを定めることができる。本システムは、プロバイダまたは処方者を選択するときに顧客を助けるために使用することもできる。
【００９２】
前述したように、本発明は、多くのサブシステムおよび選択的な特徴を有する複合システムである。好ましい実施形態は前述したように全体（integral whole）として本発明を使用することであるが、特定のサブシステムを単独で使用することもできるし、あるいは特定のサブシステムを１つのシステムから排除することもできる。例えば、本システムは、薬局間での逆オークションを伴うことなく使用できる。本実施形態において、レジストリ内の全ての薬局は、処方された製品またはサービスを入札サービスプロバイダによって設定される価格で販売するのに同意する。その後、顧客または代理人には、提出された入札で指定される地理的特徴または他の特徴を満たす薬局またはプロバイダのリストが与えられる。顧客または代理人は、その後、場所、サービス、または任意の他の特有の好みに基づいて、薬局またはプロバイダを選択することができる。
【００９３】
別の例は、プロセス内への薬局の参加を排除することである。顧客または代理人には、クーポンおよび第三者利益によって決定される価格を有する代わりの薬剤またはサービスのＳＰＰＣリストが提示される。処方者が同意して適切な処方を与えると仮定すると、顧客は、自分達の状況にとって最もよい薬剤価格を選択できる。一旦顧客および処方者が製品について合意すると、この価格で、入札サービスプロバイダまたは被指名人により処方を調合することができる。
【００９４】
本発明のシステムの実施形態は、本明細書で説明されるようなプロセスの所望のステップを実行することができかつ所望の機能を与えることができるルールエンジンを用いてプログラムされる処理ユニットを必要とする。本処理ユニットは、本明細書で説明されるように本システムに入力される情報を記憶できるデータベースと電子通信状態になければならない。そのような情報としては、特に、顧客および処方情報、価格設定ルール、オークション結果等が挙げられる。また、システムは、入力／出力デバイス、例えばコンピュータ端末、電子メールデバイスおよび／またはインターネットアクセスデバイスとも通信状態にある。一般に、入力／出力デバイスとの通信は、イントラネット、インターネット、またはこれらの両方に対して接続される１またはそれ以上のサーバを介する。
【００９５】
本発明の上記の説明から、当業者は、本発明における改良、変更および改変をを理解する。当該分野の範囲内のそのような改良、変更、および改変は、網羅されることが意図される。同様に、当業者であれば分かるように、本方法における特定のステップの順序は、本発明の範囲を減縮することなく、組み合わされ、削除され、または再配置されてもよい。
【図面の簡単な説明】
【００９６】
【図１Ａ】図１Ａは、競合処方薬および／または入札サービスプロバイダ選択のための方法のフローチャートである。
【図１Ｂ】図１Ｂは、競合処方薬および／または入札サービスプロバイダ選択のための方法のフローチャートである。
【図１Ｃ】図１Ｃは、競合処方薬および／または入札サービスプロバイダ選択のための方法のフローチャートである。
【図１Ｄ】図１Ｄは、競合処方薬および／または入札サービスプロバイダ選択のための方法のフローチャートである。
【図１Ｅ】図１Ｅは、競合処方薬および／または入札サービスプロバイダ選択のための方法のフローチャートである。
【図１Ｆ】図１Ｆは、競合処方薬および／または入札サービスプロバイダ選択のための方法のフローチャートである。
【図１Ｇ】図１Ｇは、競合処方薬および／または入札サービスプロバイダ選択のための方法のフローチャートである。
【図２】図２は、代表的な入札システムのタイムラインである。
【図３】図３は、非インターネット薬局のためのサブシステムのフローチャートである。
【図１Ａ】
2009528640.tif 000004
【図１Ｂ】
2009528640.tif 000005
【図１Ｃ】
2009528640.tif 000006
【図１Ｄ】
2009528640.tif 000007
【図１Ｅ】
2009528640.tif 000008
【図１Ｆ】
2009528640.tif 000009
【図１Ｇ】
2009528640.tif 000010
【図２】
2009528640.tif 000011
【図３】
2009528640.tif 000012
【国際調査報告】
2009528640.tif 000013